【手続補正書】
【提出日】平成16年4月15日(2004.4.15)
【手続補正１】
【補正対象書類名】明細書
【補正対象項目名】特許請求の範囲
【補正方法】変更
【補正の内容】
【特許請求の範囲】
【請求項１】
一般式(I)〜(VII)のいずれかの構造式を有し中心イオンMがEuである第１錯体と、同様に一般式(I)〜(VII)のいずれかの構造式を有し中心イオンMがTbである第２錯体とを一緒に含む透明固定担体から成る光機能材料。
一般式(I)
【化１】
2003147346.tif 000001
（この式において、n1は2又は3を示す。n2は2、3又は4を示す。Rf1及びRf2は、同一又は異なる、水素原子を含まないC1〜C22の脂肪族基、水素原子を含まない芳香族基又は水素原子を含まないヘテロ環基を示す。X1及びX2は、同一又は異なるIVA族原子、窒素を除くVA族原子、酸素を除くVIA族原子のいずれかを示す。n3及びn4は、0又は1を示す。Yは、C−Z'（Z'は重水素、ハロゲン原子又は水素原子を含まないC1〜C22の脂肪族基を示す）、N、P、As、Sb又はBiを示す。但し、X1が炭素原子のときn3は0であり、X2が炭素原子のときn4は0であり、X1とX2とが同時に炭素原子の場合、Rf1、Rf2の少なくとも一方は水素原子を含まない芳香族基である。）
一般式(II)
【化２】
2003147346.tif 000002
（この式において、n1及びn2は前記の通りである。Rf3は、水素原子を含まないC1〜C22の脂肪族基、水素原子を含まない芳香族基又は水素原子を含まないヘテロ環基を示す。X3は、炭素を除くIVA族原子、窒素を除くVA族原子、酸素を除くVIA族原子のいずれかを示す。n5は0又は1を示す。）
一般式(III)
【化３】
2003147346.tif 000003
（この式において、Rf1、Rf2、n1及びn2は前記の通りである。）
一般式(IV)
【化４】
2003147346.tif 000004
（この式において、Rf1、Rf2、n1及びn2は前記の通りである。）
一般式(V)
【化５】
2003147346.tif 000005
（この式において、Rf1、Rf2、n1、n2及びZ'は前記の通りである。）
一般式(VI)
【化６】
2003147346.tif 000006
（この式において、n1及びn2は前記の通りである。Z''は水素原子又はZ'（Z'は前記の通り）を示す。Rf4及びRf5は、同一又は異なる、水素原子を含まないC1〜C22の脂肪族基、水素原子を含まない芳香族基又は水素原子を含まないヘテロ環基を示す。）
一般式(VII)
【化７】
2003147346.tif 000007
（この式において、n1は2または3を示す。n2は1または2を示す。n3は1、2、3または4を示す。Xは同一または異なる、水素原子、重水素原子、ハロゲン原子、C1〜C20の基、水酸基、ニトロ基、アミノ基、スルホニル基、シアノ基、シリル基、ホスホン酸基、ジアゾ基、メルカプト基を示す。Yは同一または異なる、C1〜C20の基、水酸基、ニトロ基、アミノ基、スルホニル基シアノ基、シリル基、ホスホン酸基、ジアゾ基、メルカプト基を示す。Zは水素原子または重水素原子を示す。）
【請求項２】
請求項１記載の一般式(I)〜(VII)のいずれかの構造式を有し中心イオンMがEuである第１錯体を含む透明固定担体と、同じく請求項１記載の一般式(I)〜(VII)のいずれかの構造式を有し中心イオンMがTbである第２錯体を含む透明固定担体とを積層した光機能材料。
【請求項３】
更に、上記透明固定担体が、一般式(I)〜(VII)のいずれかの構造式を有し中心イオンMがTmである第３錯体をも含む請求項１に記載の光機能材料。
【請求項４】
請求項１記載の一般式(I)〜(VII)のいずれかの構造式を有し中心イオンMがEuである第１錯体を含む透明固定担体と、同じく請求項１記載の一般式(I)〜(VII)のいずれかの構造式を有し中心イオンMがTbである第２錯体を含む透明固定担体と、同じく請求項１記載の一般式(I)〜(VII)のいずれかの構造式を有し中心イオンMがTmである第３錯体を含む透明固定担体とを積層した光機能材料。
【請求項５】
励起光源として近紫外域の光源を使用することを特徴とする請求項３又は４に記載の光機能材料。
【請求項６】
請求項１〜５のいずれかに記載の光機能材料と、上記各中心イオンの励起波長帯に対応する励起光を発する発光ダイオード又は半導体レーザとを組み合わせたことを特徴とする発光装置。
【請求項７】
上記励起光が、上記各中心イオンのf-f遷移に対応する波長を有することを特徴とする請求項６に記載の発光装置。
【請求項８】
第１錯体の発光と、第２錯体の発光と、上記励起光源の発光とを合わせた光が白色となるように、又は、第１錯体の発光と第２錯体の発光と第３錯体の発光とを合わせた光が白色となるように、透明固定担体中の第１錯体の濃度と第２錯体の濃度、又は、第１錯体の濃度と第２錯体の濃度と第３錯体の濃度、或いは、各透明固定担体層の厚さが調整されていることを特徴とする請求項６又は７に記載の発光装置。
【請求項９】
上記発光ダイオード又は半導体レーザが一般式InxGa1-xN(0＜x＜1)で表される発光層を有することを特徴とする請求項６〜８のいずれかに記載の発光装置。
【請求項１０】
上記透明固定担体が透明樹脂であることを特徴とする請求項６〜９のいずれかに記載の発光装置。
【請求項１１】
上記透明固定担体が上記各中心イオンを選択的に励起することのできる増感色素を含むことを特徴とする請求項６〜１０のいずれかに記載の発光装置。
【請求項１２】
上記透明固定担体が、上記錯体を担持した平均粒径がナノサイズの（ホスト−ゲスト）複合体を含むことを特徴とする請求項６〜１１のいずれかに記載の発光装置。
【手続補正２】
【補正対象書類名】明細書
【補正対象項目名】０００７
【補正方法】変更
【補正の内容】
【０００７】
図１に、YAG蛍光体を塗布した窒化ガリウム系青色LEDからなる白色LED（相関色温度：6500K）のスペクトルと、標準光D65（相関色温度：6504K）のスペクトルを示す。ここで標準光D65とは、色温度6504Kの昼光を代表する演色評価用標準光であり、自然昼光分光分布の実測値の統計処理によってCIEにより定められたものである。白色LEDのスペクトル分布は、演色評価用標準光D65と比較して、紫色〜青紫領域、青緑〜緑色領域及び赤色領域のスペクトル分布が低くなっている。図２に白色LEDの演色評価数を示しているが、スペクトル分布に対応して、青紫、緑及び赤色の特殊演色評価数が劣っていることがわかる。従って、応用する分野によって必要とされるスペクトル成分を何らかの形で補強し、対象物の演色性を高める必要がある。


【手続補正３】
【補正対象書類名】明細書
【補正対象項目名】０００８
【補正方法】変更
【補正の内容】
【０００８】
一方、従来技術の青色LEDとYAG蛍光体による白色LED技術においても、YAG蛍光体の塗布量を増やして蛍光体からの発光コンポーネント（発光分量）を変化させることで色温度を制御することができる（図５参照）。しかし、現状良く用いられている、色温度が6500K付近から、蛍光体からの発光コンポーネントを増加させて色温度を低くする上で、以下の二つの問題点が存在する。
(1)YAG蛍光体の蛍光効率は20%程度であるため、YAG蛍光体からの発光コンポーネントを強くすればするほど白色LEDとしての発光効率は低下してしまう。
(2)YAG蛍光体は黄色の成分が強く赤い色成分が弱いため、黄色みが強く赤色の演色性が悪い不自然な白色となってしまう。


【手続補正４】
【補正対象書類名】明細書
【補正対象項目名】００１９
【補正方法】変更
【補正の内容】
【００１９】
【課題を解決するための手段】
上記課題を解決するために成された本発明に係る光機能性材料は、下記一般式(I)〜(VII)のいずれかの構造式を有し中心イオンMがEu（ユーロピウム）である第１錯体と、同様に一般式(I)〜(VII)のいずれかの構造式を有し中心イオンMがTb（テルビウム）である第２錯体とを含む透明固定担体から成ることを特徴とする。
一般式(I)
【化８】
2003147346.tif 000008
（この式において、n1は2又は3を示す。n2は2、3又は4を示す。Rf1及びRf2は、同一又は異なる、水素原子を含まないC1〜C22の脂肪族基、水素原子を含まない芳香族基又は水素原子を含まないヘテロ環基を示す。X1及びX2は、同一又は異なるIVA族原子、窒素を除くVA族原子、酸素を除くVIA族原子のいずれかを示す。n3及びn4は、0又は1を示す。Yは、C−Z'（Z'は重水素、ハロゲン原子又は水素原子を含まないC1〜C22の脂肪族基を示す）、N、P、As、Sb又はBiを示す。但し、X1が炭素原子のときn3は0であり、X2が炭素原子のときn4は0であり、X1とX2とが同時に炭素原子の場合、Rf1、Rf2の少なくとも一方は水素原子を含まない芳香族基である。）
一般式(II)
【化９】
2003147346.tif 000009
（この式において、n1及びn2は前記の通りである。Rf3は、水素原子を含まないC1〜C22の脂肪族基、水素原子を含まない芳香族基又は水素原子を含まないヘテロ環基を示す。X3は、炭素を除くIVA族原子、窒素を除くVA族原子、酸素を除くVIA族原子のいずれかを示す。n5は0又は1を示す。）
一般式(III)
【化１０】
2003147346.tif 000010
（この式において、Rf1、Rf2、n1及びn2は前記の通りである。）
一般式(IV)
【化１１】
2003147346.tif 000011
（この式において、Rf1、Rf2、n1及びn2は前記の通りである。）
一般式(V)
【化１２】
2003147346.tif 000012
（この式において、Rf1、Rf2、n1、n2及びZ'は前記の通りである。）
一般式(VI)
【化１３】
2003147346.tif 000013
（この式において、n1及びn2は前記の通りである。Z''は、水素原子又はZ'（Z'は前記に同じ）を示す。Rf4及びRf5は、同一又は異なる、水素原子を含まないC1〜C22の脂肪族基、水素原子を含まない芳香族基又は水素原子を含まないヘテロ環基を示す。）
一般式(VII)
【化１４】
2003147346.tif 000014
（この式において、n1は2または3を示す。n2は1または2を示す。n3は1、2、3または4を示す。Xは同一または異なる、水素原子、重水素原子、ハロゲン原子、C1〜C20の基、水酸基、ニトロ基、アミノ基、スルホニル基、シアノ基、シリル基、ホスホン酸基、ジアゾ基、メルカプト基を示す。Yは同一または異なる、C1〜C20の基、水酸基、ニトロ基、アミノ基、スルホニル基シアノ基、シリル基、ホスホン酸基、ジアゾ基、メルカプト基を示す。Zは水素原子または重水素原子を示す。）


【手続補正５】
【補正対象書類名】明細書
【補正対象項目名】００２２
【補正方法】変更
【補正の内容】
【００２２】
なお、これらの希土類錯体の中では、Rf1、Rf2がC1又はC2程度までのものが後述の透明固定担体であるプラスチックやポリマーとの親和性の点で良好であり、その中でも特にCF3又はCF2CF3が安定なポリマーを生成する。